(57)【要約】本発明は、低コストで確実に不正使用を防止することのできる情報処理装置および認証処理プログラムを提供することを目的とし、デバイスが挿抜自在に接続される接続部２を有し、接続部２に接続されたデバイス５を用いて情報処理を行う情報処理装置１に、接続部２に挿抜されるデバイス５の挿抜条件を設定する条件設定部３と、この情報処理装置１の起動時に、条件設定部３により設定された挿抜条件に合致した、デバイス５の挿抜が行われたか否かを判定し、設定された挿抜条件に合致した挿抜が行われたと判定した場合に、この情報処理装置１による情報処理を許可する認証処理部４とを備えた。
2003071403.tif 000002
【特許請求の範囲】
【請求項１】
デバイスが挿抜自在に接続される接続部を有し、該接続部に接続されたデバイスを用いて情報処理を行う情報処理装置において、
前記接続部に挿抜されるデバイスの挿抜条件を設定する条件設定部と、
この情報処理装置の起動時に、前記条件設定部により設定された挿抜条件に合致した、デバイスの挿抜が行われたか否かを判定し、設定された挿抜条件に合致した挿抜が行われたと判定した場合に、この情報処理装置による情報処理を許可する認証処理部とを備えたことを特徴とする情報処理装置。
【請求項２】
前記条件設定部は、デバイスの実際の挿抜動作を認識する処理を含む処理により前記挿抜条件を設定するものであることを特徴とする請求項１記載の情報処理装置。
【請求項３】
前記接続部を複数備え、
前記条件設定部が、前記複数の接続部に挿抜されるデバイスの挿抜のパターンからなる挿抜条件を設定するものであることを特徴とする請求項１記載の情報処理装置。
【請求項４】
前記条件設定部が、前記接続部へのデバイスの挿抜のタイミングを加味した挿抜のパターンからなる挿抜条件を設定するものであることを特徴とする請求項１から３までのいずれか１項記載の情報処理装置。
【請求項５】
デバイスが挿抜自在に接続される接続部を有し、該接続部に接続されたデバイスを用いて情報処理を行う情報処理装置による情報処理を許可するか否かの認証処理を行う認証処理プログラムにおいて、
前記接続部に挿抜されるデバイスの挿抜条件を設定する条件設定部と、
この情報処理装置の起動時に、前記条件設定部により設定された挿抜条件に合致したデバイスの挿抜が行われたか否かを判定し、設定された挿抜条件に合致した挿抜が行われたと判定した場合に、この情報処理装置による情報処理を許可する認証処理部とを有することを特徴とする認証処理プログラム。
【発明の詳細な説明】
技術分野
本発明は、挿抜自在に接続されるデバイスを用いて認証処理を行う情報処理装置および認証処理プログラムに関する。
背景技術
従来、情報処理装置の不正使用を防止するための種々のセキュリティ対策が講じられており、例えば、パーソナルコンピュータなどでは、予め、ＢＩＯＳ（Ｂａｓｉｃ  Ｉｎｐｕｔ  Ｏｕｔｐｕｔ  Ｓｙｓｔｅｍ）と呼ばれる基本プログラムによって正当な使用者によってパスワードを設定しておき、コンピュータの起動時に入力されたパスワードが、予め設定済みのパスワードと合致しているか否かによりそのパスワードの入力者が正当な使用者であるか否かを認証するなどの方式が主流となっている。
さらに、近年は、スマートカードや指紋照合等を利用する認証方式が実用化されつつある。
しかし、従来のパスワードによる認証方式では、不正使用者の繰返し試行によるアタックやパスワードの漏洩などによりセキュリティを破られる恐れがある。
また、スマートカードや指紋照合による認証方式では、セキュリティは強固となるが、スマートカードによる認証の場合には専用のスマートカードリーダ、また、指紋認証の場合には専用の指紋読取装置が必要となるためコスト高となるという問題がある。
発明の開示
本発明は、上記事情に鑑み、低コストで確実に不正使用を防止することのできる情報処理装置および認証処理プログラムを提供することを目的とする。
上記目的を達成する本発明の情報処理装置は、
デバイスが挿抜自在に接続される接続部を有し、その接続部に接続されたデバイスを用いて情報処理を行う情報処理装置において、
上記接続部に挿抜されるデバイスの挿抜条件を設定する条件設定部と、
この情報処理装置の起動時に、上記条件設定部により設定された挿抜条件に合致した、デバイスの挿抜が行われたか否かを判定し、設定された挿抜条件に合致した挿抜が行われたと判定した場合に、この情報処理装置による情報処理を許可する認証処理部とを備えたことを特徴とする。
ここで、「デバイス」とは、例えば、最近のパーソナルコンピュータに広く用いられている記憶装置、入出力装置、通信装置などの各種の周辺機器をいう。
また、「接続部」とは、例えば、上記のデバイスを接続するためにパーソナルコンピュータの本体部に設けられているＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）コネクタ、ＵＳＢ（Ｕｎｉｖｅｒｓａｌ  Ｓｅｒｉａｌ  ｂａｓ）コネクタ、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  １３９４）コネクタ、キーボード又はマウス用のＰＳ／２コネクタなどをいう。
本発明の情報処理装置によれば、正当な使用者により予めデバイスの挿抜条件を設定しておくことにより、設定された挿抜条件通りの挿抜操作が行われない限りその情報処理装置の使用は不可能となるため、セキュリティ専用の装置を用いることなく低コストで確実に不正使用を防止することができる。
ここで、上記条件設定部は、デバイスの実際の挿抜動作を認識する処理を含む処理により上記挿抜条件を設定するものであってもよい。
本発明の情報処理装置をこのように構成した場合は、より確実に不正使用を防止することができる。
また、上記接続部を複数備え、
上記条件設定部が、上記複数の接続部に挿抜されるデバイスの挿抜のパターンからなる挿抜条件を設定するものであってもよい。
本発明の情報処理装置をこのように構成した場合も、より確実に不正使用を防止することができる。
さらに、上記接続部を複数備え、
上記条件設定部が、上記接続部へのデバイスの挿抜のタイミングを加味した挿抜のパターンからなる挿抜条件を設定するものであってもよい。
本発明の情報処理装置をこのように構成した場合は、さらに確実に不正使用を防止することができる。
また、上記目的を達成する本発明の認証処理プログラムは、
デバイスが挿抜自在に接続される接続部を有し、その接続部に接続されたデバイスを用いて情報処理を行う情報処理装置による情報処理を許可するか否かの認証処理を行う認証処理プログラムにおいて、
上記接続部に挿抜されるデバイスの挿抜条件を設定する条件設定部と、
この情報処理装置の起動時に、上記条件設定部により設定された挿抜条件に合致したデバイスの挿抜が行われたか否かを判定し、設定された挿抜条件に合致した挿抜が行われたと判定した場合に、この情報処理装置による情報処理を許可する認証処理部とを有することを特徴とする。
本発明の認証処理プログラムによれば、低コストで確実に不正使用を防止することが可能な情報処理装置を容易に形成することができる。
以上、説明したように、本発明の情報処理装置によれば、条件設定時の挿抜条件に合致した通りのデバイスの挿抜操作が行われない限り、オペレーティングシステムに制御を渡さないため、不正使用を確実に防止することができる。
また、必要に応じて、デバイスと接続部との組み合わせ、挿抜の時間、および挿抜の順序を自由に選択して認証システムを、随時、設定変更することができるので、その情報処理装置に必要なセキュリティレベルを常に保持し続けることができる。
また、セキュリティ専用の装置を用いていないので低コストで不正使用を防止することができる。
発明を実施するための最良の形態
以下、本発明の実施形態について説明する。
先ず、本実施形態の情報処理装置のハードウエアについて説明する。
図１は、本発明の情報処理装置を適用するためのコンピュータシステムの外観図である。
図１には、ノート型のパーソナルコンピュータ１００が例示的に示されている。
本発明の情報処理装置は、ここに示すノート型のパーソナルコンピュータに限らず、デスクトップ型やハンドヘルド型などのパーソナルコンピュータ、あるいはＰＤＡ（Ｐｅｒｓｏｎａｌ  Ｄｉｇｉｔａｌ  Ａｓｓｉｓｔａｎｔ）など、さらには、ワークステーション、あるいは大型コンピュータシステムにも適用することができる。
このパーソナルコンピュータ１００は、ＣＰＵ（中央処理装置）、ＲＡＭ（ランダムアクセスメモリ）、ハードディスク、通信用ボード等が内蔵された本体部１０１、本体部１０１からの指示により表示画面１０２ａ上に画像や文字列を表示する表示部１０２、パーソナルコンピュータ１００に利用者の指示を入力するためのキーボード１０３、表示画面１０２ａ上の任意の位置を指定することにより、その指定時にその位置に表示されていたアイコン等に応じた指示を入力するポインティングデバイス１０４を備えている。ここで、キーボード１０３上には「Ｆ２」キー１０７ａを含むファンクションキー１０７が配備されている。「Ｆ２」キー１０７ａについては後述する。
本体部１０１の前面には、フレキシブルディスク（図示せず）、ＣＤ−ＲＯＭ（図示せず）が挿入されるフレキシブルディスク挿入口１０１ａ、ＣＤ−ＲＯＭ挿入口１０１ｂなどが設けられており、それらの内部には、それらの挿入口１０１ａから挿入されたフレキシブルディスクやＣＤ−ＲＯＭをドライブするフレキシブルディスクドライブやＣＤ−ＲＯＭドライブが内蔵されている。
また、本体部１０１の右側面には、ＰＣカード（図示せず）が挿入される２個のＰＣカードスロット１０５ａ，１０５ｂ、ＵＳＢデバイス（図示せず）が挿入される２個のＵＳＢコネクタ１０６ａ，１０６ｂなどが設けられている。
また、本体部１０１の左側面および後面には、外部キーボードおよびマウス接続用のＰＳ／２コネクタ（図示せず）、パラレル機器接続用のパラレルコネクタ（図示せず）、シリアル機器接続用のシリアルコネクタ（図示せず）などが設けられている。
図２は、図１に示したパーソナルコンピュータの内部構成図である。
ここには、ＣＰＵなどが実装されたメインボード１１と、メインボード１１に接続されたＬＣＤ（Ｌｉｑｕｉｄ  Ｃｒｙｓｔａｌ  Ｄｉｓｐｌａｙ）パネル１２、内蔵ハードディスクドライブ１３、フレキシブルディスクドライブ１４、ＣＤ−ＲＯＭ、ＤＶＤなどの周辺機器実装ベイ１５、および内蔵バッテリ１６などを備えたノート型のパーソナルコンピュータ１０が示されている。
このメインボード１１には、ＰＣＭＣＩＡ型のＰＣカード１７が挿抜自在に接続される２個のＰＣカードスロット１８ａ，１８ｂ、ＵＳＢ（Ｕｎｉｖｅｒｓａｌ  Ｓｅｒｉａｌ  Ｂａｓ）デバイス１９が挿抜自在に接続される２個のＵＳＢコネクタ２０ａ，２０ｂ、ＤＩＭＭ（Ｄｏｕｂｌｅ  Ｉｎｌｉｎｅ  Ｍｅｍｏｒｙ  Ｍｏｄｕｌｅ）メモリ２１が挿抜自在に接続される２個のメモリスロット２２ａ，２２ｂ、キーボード又はマウスなどのＰＳ／２デバイス２３が挿抜自在に接続されるＰＳ／２コネクタ２４、プリンタなどのパラレル機器２５が挿抜自在に接続されるパラレルコネクタ２６、モデムなどのシリアル機器２７が挿抜自在に接続されるシリアルコネクタ２８、ＣＲＴ（Ｃａｔｈｏｄｅ  Ｒａｙ  Ｔｕｂｅ）などの外部ディスプレイ２９が挿抜自在に接続される外部ディスプレイコネクタ３０などが示されている。
なお、上記のＰＣカード１７、ＵＳＢデバイス１９、ＤＩＭＭメモリ２１、ＰＳ／２デバイス２３、パラレル機器２５、シリアル機器２７、外部ディスプレイ２９などは、本発明にいうデバイスに相当するものであり、また、上記のＰＣカードスロット１８ａ，１８ｂ、ＵＳＢコネクタ２０ａ，２０ｂ、メモリスロット２２ａ，２２ｂ、ＰＳ／２コネクタ２４、パラレルコネクタ２６、シリアルコネクタ２８、外部ディスプレイコネクタ３０などは、本発明にいう接続部に相当するものである。
図３は、本発明の情報処理装置の一実施形態を示す概略機能構成図である。
この図３の情報処理装置は、図１、図２に示すパーソナルコンピュータに後述する認証処理プログラムがインストールされることにより、そのパーソナルコンピュータ内に構築されるものである。
図３に示すように、この情報処理装置１は、デバイス５が挿抜自在に接続される接続部２を有し、接続部２に接続されたデバイス５を用いて情報処理を行うものであり、接続部２に挿抜されるデバイス５の挿抜条件を設定する条件設定部３と、この情報処理装置１の起動時に、条件設定部３により設定された挿抜条件に合致した、デバイス５の挿抜が行われたか否かを判定し、設定された挿抜条件に合致した挿抜が行われたと判定した場合に、この情報処理装置１による情報処理を許可する認証処理部４とを備えている。
なお、条件設定部３は、デバイス５の実際の挿抜動作を認識する処理を含む処理により上記挿抜条件を設定するものであってもよい。
また、この情報処理装置１が接続部２を複数備えたものであり、条件設定部３が、上記複数の接続部２に挿抜されるデバイス５の挿抜のパターンからなる挿抜条件を設定するものであってもよい。
さらに、条件設定部３が、接続部２へのデバイス５の挿抜のタイミングを加味した挿抜のパターンからなる挿抜条件を設定するものであってもよい。
図４は、本発明の認証処理プログラムの概略構成図である。
この認証処理プログラムは、図１、図２に示したパーソナルコンピュータにインストールされて運用されるプログラムであり、図３に示すように、デバイス５が挿抜自在に接続される接続部２を有し、接続部２に接続されたデバイス５を用いて情報処理を行う情報処理装置１による情報処理を許可するか否かの認証処理を行うプログラムである。
図４に示すように、この認証処理プログラム６は、情報処理装置１（図３）の接続部２に挿抜されるデバイス５の挿抜条件を設定する条件設定部７と、この情報処理装置１の起動時に、条件設定部７により設定された挿抜条件に合致したデバイス５の挿抜が行われたか否かを判定し、設定された挿抜条件に合致した挿抜が行われたと判定した場合に、この情報処理装置１による情報処理を許可する認証処理部８とを有する。
以下に、本発明の情報処理装置および認証処理プログラムの動作について説明する。
図５は、本実施形態の情報処理装置および認証処理プログラムの動作を示すフローチャートである。
この実施形態の情報処理装置はノート型のパーソナルコンピュータであり、キーボード１０３（図１参照）の上部にあるファンクションキー１０７のうちの、例えば左から２番目に、ＢＩＯＳ起動用の「Ｆ２」キー１０７ａが設けられており、電源投入時にその「Ｆ２」キー１０７ａを押下することによりＢＩＯＳの設定ができるように構成されている。
図５に示すように、使用者が「Ｆ２」キーを押下することによりＢＩＯＳセットアップユーティリティが起動する（ステップＳ０１）。
図６は、ＢＩＯＳセットアップユーティリティ画面を示す図である。
図６に示すように、このＢＩＯＳセットアップユーティリティ画面４０には、「メイン」、「詳細」、「セキュリティ」、「省電力］、「起動」、「情報」、「終了」などの各メニューが表示されたメニューバー４１があり、この中の「セキュリティ」メニュー４１ａが使用者により選択されると（ステップＳ０２）、この情報処理装置１（図３参照）の接続部２に挿抜されるデバイス５の挿抜条件を設定するためのパラメータ登録域４２が表示される。
ここで、正当な使用者により、例えば、認証用のデバイスとしてＰＣカード１枚を使用して３回挿抜するというセキュリティ設定を行う場合には、２つあるデバイス名入力欄４３ａ，４３ｂのうちのデバイス名入力欄４３ａに“ＰＣカード”と入力し、設定欄４４ａを“設定済”とし、デバイス数入力欄４５に“１”、挿抜回数入力欄４６に“３”、および挿抜時間入力欄４７に“１０秒以内”などのパラメータを入力し（ステップＳ０３）、“登録処理”ボタン４２ａにカーソルを合わせてキーボード上の「Ｅｎｔｅｒ」キーを押下すると、次に示す操作指示画面が表示される。
図７は、使用者にデバイスの挿抜操作を指示する操作指示画面である。
図７に示した操作指示画面４８の指示に従い、使用者により接続部２（図３参照）にデバイスが挿入される（ステップＳ０４）。ここで挿入されるデバイスは、この情報処理装置の正当な使用者が挿抜条件登録用として選んだ特定のデバイスである。
接続部２（図３参照）にデバイス５が挿入されると、情報処理装置１はそのデバイス５のユニーク情報、例えばＰＣカードのシリアル番号やＭＡＣアドレス等を取得し（ステップＳ０５）、所定の場所に記憶する。正当な使用者によりデバイス５が接続部２から取り出されると、情報処理装置１は、挿抜されたデバイス数および挿抜回数が、ステップＳ０３で入力されたデバイス数および挿抜回数に達したか否かを判定し（ステップＳ０６）、判定の結果、設定されたデバイス数および挿抜回数に達していない場合はステップＳ０４に戻り入力されたデバイス数および挿抜回数に達するまで上記の処理を繰り返す。
ステップＳ０６における判定の結果、設定されたデバイス数および挿抜回数に達した場合は、図８に示す画面４９が表示される。
図８は、使用者に挿抜条件の設定完了を示す画面である。
図８に示す画面４９のメッセージに従い、使用者が［ＥＳＣ］キーを押下することにより図５に示すフローチャートのステップＳ０７に進み、条件設定部３（図３参照）は、デバイスの挿抜条件を設定し、図６に示したＢＩＯＳセットアップユーティリティ画面４０に戻る。
ＢＩＯＳセットアップユーティリティ画面４０に表示される、メッセージ“変更した内容を保存する”（図示せず）にカーソルを合わせ、［ＥＮＴＥＲ］キーを押下することにより再起動が行われ、挿抜条件の設定登録は完了する。
挿抜条件設定の具体例について説明する。
［実施例１］
この実施例１では、デバイス数：Ｎ＝１、挿抜回数：Ｍ＝３、挿抜時間：Ｔ＝１０秒以内なるパラメータを入力した後、１枚のＰＣカードをＰＣカードスロットＡ、ＰＣカードスロットＢ、ＰＣカードスロットＡという順序で３回挿抜操作を行うことにより表１に示すような挿抜のパターンからなる挿抜条件を設定し、ノート型のパーソナルコンピュータ１０（図２参照）のメインボード１１に実装された不揮発性メモリ（図示せず）に登録する。
2003071403.tif 000003
［実施例２］
この実施例２では、デバイス数：Ｎ＝２、挿抜回数：Ｍ＝５、挿抜時間：Ｔ＝２０秒以内なるパラメータを入力した後、ＰＣカードＸをＰＣカードスロットＡに、ＰＣカードＹをＰＣカードスロットＢに、ＰＣカードＸをＰＣカードスロットＢに、ＰＣカードＹをＰＣカードスロットＡに、ＰＣカードＸをＰＣカードスロットＢにという順序で５回挿抜操作を行うことにより表２に示すような挿抜のパターンからなる挿抜条件を設定し、ノート型のパーソナルコンピュータ１０（図２参照）のメインボード１１に実装された不揮発性メモリ（図示せず）に登録する。
2003071403.tif 000004
上記の各実施例のようにして、デバイスの挿抜条件が設定されることによって、この情報処理装置の不正使用者による使用から防護された状態となる。
次に、こうして設定されたデバイスの挿抜条件により防護された情報処理装置により行われる認証処理について説明する。
情報処理装置の電源が投入されると次の認証操作画面が表示される。
図９は、本実施形態における情報処理装置の起動時に表示される認証操作画面を示す図である。
この認証操作画面５０の指示に応じ、デバイスの挿抜を行うと、この情報処理装置に備えられた認証処理部４（図３参照）により、次のように認証処理が行われる。
図１０は、本実施形態における認証処理のフローチャートである。
図１０に示すように、先ず、情報処理装置に設定された挿抜条件が読み込まれる（ステップＳ１１）。次に、使用者により接続部２（図３参照）に、挿抜条件設定時に挿抜条件登録用として選ばれたデバイスが挿入される（ステップＳ１２）。
ここで、この情報処理装置に、例えば、前述の実施例１に示したような条件設定が行われている場合は、挿抜条件設定時に挿入されたＰＣカードをＰＣカードスロットＡに挿入する（ステップＳ１３）。第１回目の挿入の場合はタイマをスタートさせ（ステップＳ１４）、第１回目の挿入以外の場合はそのまま、挿入されたデバイスのユニーク情報、例えばシリアル番号やＭＡＣアドレスなどを取得し、例えば不揮発性メモリなどに記憶する（ステップＳ１５）。
使用者によりＰＣカードがＰＣカードスロットＡから取り出されると、情報処理装置１は、挿抜されたＰＣカードの数および挿抜回数が、挿抜条件設定時に設定されたＰＣカードの数および挿抜回数に達したか否かを判定し（ステップＳ１６）、判定の結果、設定されたＰＣカードの数および挿抜回数に達していない場合はステップＳ１２に戻り、設定されたＰＣカードの数および挿抜回数に達するまで上記の処理を繰り返す。
こうして、１枚のＰＣカードが、ＰＣカードスロットＡ、ＰＣカードスロットＢ、ＰＣカードスロットＡという順序で３回挿抜されるとタイマを停止させ（ステップＳ１７）、タイマの計測結果が１０秒以内であるか否かが判定される（ステップＳ１８）。タイマの計測結果、挿抜条件設定時に設定された挿抜時間“Ｔ＜１０ｓｅｃ．”と合致していない場合は、次に示すエラーメッセージ画面５１を表示し（ステップＳ２２）、すべての処理を終了する。
図１１は、認証失敗時に表示されるエラーメッセージ画面である。
ステップＳ１８における判定の結果、タイマの計測結果が挿抜条件に合致している場合は、取得したデバイスのユニーク情報が、挿抜条件設定時に設定されたデバイスのユニーク情報と合致しているか否かが判定される（ステップＳ１９）。判定の結果、挿抜条件設定時に設定されたユニーク情報と合致していない場合は、図１１に示したエラーメッセージ画面５１を表示し（ステップＳ２２）、すべての処理を終了する。
一方、ステップＳ１９における判定の結果、デバイスのユニーク情報が合致している場合は、挿抜されたデバイス数および挿抜回数が、挿抜条件設定時に設定されたデバイス数および挿抜回数に達したか否かを判定し（ステップＳ２０）、判定の結果、設定されたデバイス数および挿抜回数に達していない場合はステップＳ１９に戻り、設定されたデバイス数および挿抜回数に達するまで上記の処理を繰り返す。
設定されたデバイス数および挿抜回数に達すると、次に示す認証完了メッセージ画面５２（図６参照）を表示する（ステップＳ２１）。
図１２は、認証完了時に表示される画面である。
図１２に示すように、“デバイス認証完了しました”旨のメッセージが表示され、使用者により［Ｅｎｔｅｒ］キーが押下されると、ＯＳの起動処理に移行する。
なお、上記の実施形態では、挿抜条件設定時にデバイスのユニーク情報を取得して所定の記憶場所に登録しておき、認証処理時に取得したユニーク情報と登録されているユニーク情報とが合致しているか否かを判定している例を示したが、本発明は、必ずしもデバイスのユニーク情報を認証に用いなければならないわけではなく、ユニーク情報を用いずに挿抜条件を設定してもよい。しかしながら、セキュリティレベルを高める上から、デバイスのユニーク情報を併用することが望ましい。
また、上記の実施形態では、挿抜条件設定時に、第１段階として挿抜のパラメータ入力を行い、第２段階として実際に特定のデバイスを特定の接続部に挿抜する操作を行うことにより挿抜条件を設定している例を示したが、本発明は、必ずしもこのように２段階の操作で挿抜条件を設定しなければならないわけではなく、例えば、画面上で詳細な条件を入力するようにして、実際の挿抜操作を省略してもよい。しかしながら、セキュリティレベルを高める上から、上記のように２段階の操作で挿抜条件を設定するようにすることが望ましい。
【図面の簡単な説明】
図１は、本発明の情報処理装置を適用するためのコンピュータシステムの外観図である。
図２は、図１に示したパーソナルコンピュータの内部構成図である。
図３は、本発明の情報処理装置の一実施形態を示す概略機能構成図である。
図４は、本発明の認証処理プログラムの概略構成図である。
図５は、本実施形態の情報処理装置および認証処理プログラムの動作を示すフローチャートである。
図６は、ＢＩＯＳセットアップユーティリティ画面を示す図である。
図７は、使用者にデバイスの挿抜操作を指示する操作指示画面である。
図８は、使用者に挿抜条件の設定完了を示す画面である。
図９は、本実施形態における情報処理装置の起動時に表示される認証操作画面を示す図である。
図１０は、本実施形態における認証処理のフローチャートである。
図１１は、認証失敗時に表示されるエラーメッセージ画面である。
図１２は、認証完了時に表示される画面である。
【図１】
2003071403.tif 000005
【図２】
2003071403.tif 000006
【図３】
2003071403.tif 000007
【図４】
2003071403.tif 000008
【図５】
2003071403.tif 000009
【図６】
2003071403.tif 000010
【図７】
2003071403.tif 000011
【図８】
2003071403.tif 000012
【図９】
2003071403.tif 000013
【図１０】
2003071403.tif 000014
【図１１】
2003071403.tif 000015
【図１２】
2003071403.tif 000016
【国際調査報告】
2003071403.tif 000017
2003071403.tif 000018
2003071403.tif 000019
2003071403.tif 000020